(57)【要約】【課題】  船舶から荷降ろしされるコンテナ又は船舶へ積込みされるコンテナを全て検査し、かつコンテナを吊った状態でＸ線検査が行われた場合でもコンテナ吊具が検査画像に写り込まないで検査を行えるコンテナ貨物の検査装置を提供する。【解決手段】  岸壁クレーンによって船舶から荷降ろしされたコンテナ内の貨物を放射線検査するコンテナ貨物の検査装置であって、前記岸壁クレーンによって船舶から荷降ろしされるコンテナを仮置きする仮置台と、コンテナ吊具を備え前記仮置台に仮置きされたコンテナを吊り上げ移動させてコンテナ搬送車両に引き渡すコンテナ中継手段と、前記コンテナ中継手段によって吊り上げられたコンテナの放射線検査を行うための放射線検査手段とを備えることを特徴とする。また、前記放射線検査手段は前記コンテナのみを透過する放射線を検出してコンテナ貨物の検査を行うように配置した放射線放射部と、放射線検出部と、を備える。【選択図】    図１
2005257398.tif 000002
【特許請求の範囲】
【請求項１】
岸壁クレーンによって船舶から荷降ろしされたコンテナ内の貨物を放射線検査するコンテナ貨物の検査装置であって、前記岸壁クレーンによって船舶から荷降ろしされるコンテナを仮置きする仮置台と、コンテナ吊具を備え前記仮置台に仮置きされたコンテナを吊り上げ移動させてコンテナ搬送車両に引き渡すコンテナ中継手段と、前記コンテナ中継手段によって吊り上げられたコンテナの放射線検査を行うための放射線検査手段とを備え、前記放射線検査手段はコンテナの側面及び底面に沿って配置した放射線検出部と、前記放射線検出部にコンテナを透過した放射線を投影するように配置した放射線放射部とを備えて成ることを特徴とするコンテナ貨物の検査装置。
【請求項２】
岸壁クレーンによって船舶へ積込まれるコンテナ内の貨物を放射線検査するコンテナ貨物の検査装置であって、コンテナ吊具を備えコンテナ搬送車両によって搬送されるコンテナを吊り上げ移動させるコンテナ中継手段と、前記コンテナ中継手段によって吊り上げ移動されたコンテナが仮置きされて前記岸壁クレーンへの引渡し位置となる仮置台と、前記コンテナ中継手段によって吊り上げられたコンテナの放射線検査を行うための放射線検査手段とを備え、前記放射線検査手段はコンテナの側面及び底面に沿って配置した放射線検出部と、前記放射線検出部にコンテナを透過した放射線を投影するように配置した放射線放射部とを備えて成ることを特徴とするコンテナ貨物の検査装置。
【請求項３】
前記放射線放射部は、コンテナ上面位置に放射線の線源が配置されるように構成されることを特徴とする請求項１又は請求項２に記載のコンテナ貨物の検査装置。
【発明の詳細な説明】
【技術分野】
【０００１】
本発明は、コンテナ貨物の検査装置に係り、特に船舶から荷降ろしされたコンテナ内の貨物または船舶へ積込みされるコンテナ内の貨物を開梱することなく、コンテナの外部から放射線によって検査するようにしたコンテナ貨物の検査装置に関する。
【背景技術】
【０００２】
近年、コンテナ内に収容されてくる輸入・輸出貨物の中には、銃器、麻薬等の社会悪物品や申告とは異なる不正物品が隠されていることが多くなってきている。これらの物品を摘発するために輸入・輸出貨物を取り扱う港湾では、コンテナ貨物の検査が重要になっている。検査手段としてはコンテナ内の貨物を開梱しない状態のままコンテナ外部からＸ線によって透視するＸ線検査装置が便利であり、例えば特許文献１、特許文献２、特許文献３に記載されたものが知られている。特許文献１に記載されている装置は、検査装置建屋塔内に回転式のＸ線ＣＴ検査装置を配置し、このＸ線ＣＴ検査装置に対してコンテナを相対的に移動させることにより、コンテナ貨物をＸ線ＣＴ検査するようにしている。
【０００３】
また、特許文献２に記載された装置は、定置したコンテナを跨ぐように門型クレーンをコンテナの長手方向に移動させることにより、コンテナ貨物をＸ線検査するようにしている。
また、特許文献３に記載された装置は、遮蔽室内にＸ線装置を配置し、このＸ線検査装置に対してコンテナを搭載した車両を通過させることにより、コンテナ貨物をＸ線検査するようにしている。
【０００４】
一方、この種の岸壁クレーンによる船舶からのコンテナ荷役作業は、船舶の停泊日数を短縮するためにもその高能率化は重要である。このため、種々の高能率な岸壁クレーンが開発され、実用化されている。
【特許文献１】特開平８−２６１９５８号公報
【特許文献２】特表２０００−５１４１８３号公報
【特許文献３】特開２００３−２８７５０７号公報
【発明の開示】
【発明が解決しようとする課題】
【０００５】
しかしながら、例えば輸入コンテナについては、高能率化された岸壁クレーンによって次々に船舶から荷降ろしされるコンテナに対して、上記したコンテナ貨物の検査装置の検査体制は必ずしも十分であるとは言えない。
【０００６】
例えば特許文献１に記載された装置では、荷降ろしされたコンテナを一旦、検査装置建屋塔内に移動しなければならず、検査に時間もかかり、建屋の建設にも費用がかかる。また、特許文献２に記載された装置でも、荷降ろし後のコンテナはコンテナヤードに置かれ、その後にコンテナ内の検査を行うため、効率的な検査とは言えない。また、特許文献３に記載された装置では、岸壁クレーンから荷降ろしされたコンテナをコンテナ搬送車両に引き渡し、搬送車両ごと建屋内に入れて検査を行うようにしたことで、荷物をコンテナヤード等に置くという手間を省くことができるが、建屋を建設しなければならず費用がかかる。また、搬送車両毎の検査ということで、搬送車両に運転手が乗っていた場合には運転手が被爆してしまう虞がある。
【０００７】
上記のような理由から、従来の検査装置では船舶から数多く荷降ろしされるコンテナ全てを検査することは困難であり、実質的に荷降ろしされるコンテナの一部をピックアップして検査を行うという検査体制を採らざるを得ない。
【０００８】
そこでコンテナの荷降ろしが行われる岸壁クレーン下部で、コンテナ搬送車両への引き渡し前に、コンテナの検査を行うことでコンテナの検査効率の向上を図ることが有効であると考えられる。コンテナをコンテナ搬送車両へ引き渡す前に、効率良くコンテナ貨物の検査を行うためには、コンテナを吊った状態で検査を行うことが定石である。しかし、放射線は線源から扇面状に放射されるため、定地状態でのコンテナ貨物の放射線検査と同様に検査を行う場合、コンテナ吊具も検出されてしまい、検査が不正確・不明確なものとなってしまうことがある。
このような検査効率、正確性等の問題は、輸入コンテナの検査においても挙げられる。
【０００９】
本発明では、船舶から荷降ろしされるコンテナ又は船舶へ積込みされるコンテナを全て検査することを可能とし、かつコンテナを吊った状態で検査が行われた場合でも正確な検査結果を得ることができるコンテナ貨物の検査装置を提供することを目的とする。
【課題を解決するための手段】
【００１０】
上記目的を達成するために、本発明に係るコンテナ貨物の検査装置は、岸壁クレーンによって船舶から荷降ろしされたコンテナ内の貨物を放射線検査するコンテナ貨物の検査装置であって、前記岸壁クレーンによって船舶から荷降ろしされるコンテナを仮置きする仮置台と、コンテナ吊具を備え前記仮置台に仮置きされたコンテナを吊り上げ移動させてコンテナ搬送車両に引き渡すコンテナ中継手段と、前記コンテナ中継手段によって吊り上げられたコンテナの放射線検査を行うための放射線検査手段とを備え、前記放射線検査手段はコンテナの側面及び底面に沿って配置した放射線検出部と、前記放射線検出部にコンテナを透過した放射線を投影するように配置した放射線放射部とを備えて成ることを特徴とする。
【００１１】
また、上記目的を達成するために、本発明に係るコンテナ貨物の検査装置は、岸壁クレーンによって船舶へ積込まれるコンテナ内の貨物を放射線検査するコンテナ貨物の検査装置であって、コンテナ吊具を備えコンテナ搬送車両によって搬送されるコンテナを吊り上げ移動させるコンテナ中継手段と、前記コンテナ中継手段によって吊り上げ移動されたコンテナが仮置きされて前記岸壁クレーンへの引渡し位置となる仮置台と、前記コンテナ中継手段によって吊り上げられたコンテナの放射線検査を行うための放射線検査手段とを備え、前記放射線検査手段はコンテナの側面及び底面に沿って配置した放射線検出部と、前記放射線検出部にコンテナを透過した放射線を投影するように配置した放射線放射部とを備えて成ることを特徴としても良い。
上記構成のコンテナ貨物の検査装置において前記放射線放射部は、コンテナ上面位置に放射線の線源が配置されるように構成されると良い。
【発明の効果】
【００１２】
上記構成のコンテナ貨物の検査装置において、岸壁クレーンによって船舶から荷降ろしされたコンテナ内の貨物を放射線検査するコンテナ貨物の検査装置であって、前記岸壁クレーンによって船舶から荷降ろしされるコンテナを仮置きする仮置台と、コンテナ吊具を備え前記仮置台に仮置きされたコンテナを吊り上げ移動させてコンテナ搬送車両に引き渡すコンテナ中継手段と、前記コンテナ中継手段によって吊り上げられたコンテナの放射線検査を行うための放射線検査手段とを備え、前記放射線検査手段はコンテナの側面及び底面に沿って配置した放射線検出部と、前記放射線検出部にコンテナを透過した放射線を投影するように配置した放射線放射部とを備えて成ることを特徴としたことにより、船舶から荷降ろしされるコンテナを、コンテナ搬送車両に引き渡す前に効率良く検査することができるため、荷降ろしされるコンテナ全てを検査することが可能になる。
【００１３】
また、船舶へコンテナを積込む場合には、コンテナ吊具を備えコンテナ搬送車両によって搬送されるコンテナを吊り上げ移動させるコンテナ中継手段と、前記コンテナ中継手段によって吊り上げ移動されたコンテナが仮置きされて前記岸壁クレーンへの引渡し位置となる仮置台と、前記コンテナ中継手段によって吊り上げられたコンテナの放射線検査を行うための放射線検査手段とを備え、前記放射線検査手段はコンテナの側面及び底面に沿って配置した放射線検出部と、前記放射線検出部にコンテナを透過した放射線を投影するように配置した放射線放射部とを備えて成るコンテナ貨物の検査装置として上記装置を稼動させることにより、コンテナ搬送車両から船舶へ積込まれるコンテナを効率良く、かつ正確に検査することが可能となる。また、船舶へ積込む直前に検査を行うことができるため、コンテナヤードへ搬送されてから船舶へ積込まれるまでの間に不詳の事態が起きた場合でもそれらを検出することが可能となる。すなわち、船舶へ積込むコンテナをコンテナヤードへ搬入する際に検査を行った場合であっても、コンテナヤードから積込みまでの間に社会悪物品等の不正物品をコンテナ内に仕込まれる可能性がある。このような場合であっても、コンテナ内の社会悪物品等の不正物品を検出することができる。
【００１４】
また、放射線検査手段の放射線放射部と放射線検出部とが、コンテナのみを透過する放射線を検出して検査を行うことが可能となるため、不正確・不明確な検査の原因となるコンテナ吊具の影響を受けない。
【発明を実施するための最良の形態】
【００１５】
以下本発明のコンテナ貨物の検査装置に係る実施の形態について図面を参照して説明する。なお、以下に示す実施の形態は、本発明に係る一部の形態であり、本発明は以下の形態のみに限定されるものではない。
【００１６】
図１は本発明のコンテナ貨物の検査装置に係る実施形態の正面図を示し、図２は本発明のコンテナ貨物の検査装置にかかる実施形態の左側面図を示す図である。また、図３、図４は放射線放射部からの放射線の放射範囲及び放射線経路を示すブロック図である。なお、図６は当該検査装置が使用される岸壁エリアの説明図である。
【００１７】
図６において、港湾の岸壁１０の海側にはコンテナ船１２が係留し、コンテナ船１２には多数のコンテナ１４が段積みされている。岸壁１０の陸側には、岸壁クレーン１６がコンテナ船１２の荷降ろし位置に横付けされている。岸壁クレーン１６の下部架構部内には本発明に係るコンテナ貨物の検査装置２０が配置されている。岸壁クレーン１６のスプレッダ１８によって吊り上げられたコンテナ１４は矢印Ａの経路で荷降ろしされ、検査装置２０の仮置台２２に仮置きされる。検査装置２０で検査を終えたコンテナ１４はコンテナ搬送車両７０に引き渡され、目的エリアに搬送される。
【００１８】
以下、図１、図２を参照し、検査装置２０についての具体的な構成を説明する。検査装置２０は２階建て構造とされ、１階は下部空間としてのコンテナ搬送車両７０の待機・通過エリア、２階はコンテナ貨物の検査エリアとされる。１階と２階の通し柱である４本の主脚２４の下端には車輪２６が取り付けられており、検査装置２０は移動自在とされる。なお、前記車輪２６はコンテナ１４の検査を行う際には、ロックされる構造とすると良い。
【００１９】
２階には、海側に張り出し部２８が設けられ、この張り出し部２８の上面が仮置台２２となっている。仮置台２２の上方は開口しており、前記岸壁クレーン１６のスプレッダ１８によって吊り上げられたコンテナ１４がこの開口から荷降ろしされ、仮置台２２に仮置きされる。
【００２０】
また、２階上部の横梁５２には、コンテナ中継手段として一対の天井クレーン５４が横行自在に掛け渡されている。天井クレーン５４は一対の巻き上げ機を有し、コンテナ１４を吊り上げるコンテナ吊具としてのスプレッダ６０が吊りワイヤ５８を介して巻き上げ機によって昇降可能とされている。コンテナ１４はこの天井クレーン５４によって吊り上げ移動され、コンテナ搬送車両７０に引き渡される。
【００２１】
さらに、２階には仮置台２２に隣接する陸側にプラットホーム３８が設けられている。このプラットホーム３８上には放射線検査手段としてのＸ線検査機４０が移動可能に配置されている。すなわち、Ｘ線検査機４０はスプレッダ６０を介して天井クレーン５４によって吊り上げられたコンテナ１４の長手方向に移動して、コンテナ１４内の貨物を走査する。
【００２２】
Ｘ線検査機４０はケーシング４２内に放射線放射部としてＸ線を扇面状に放射する線源４４を備える。また、Ｘ線検査機４０のケーシング４２下部は、検査対象となるコンテナ１４の横幅以上の間隔を空けて設けられる垂直壁４９に連結されている。前記垂直壁４９には、コンテナ１４の側面及び底面に沿った形状（Ｌ字型）の放射線検出部であるＸ線検出器５０が備えられ、前記線源４４から放射され、コンテナを透過したＸ線を投影するように構成されている。Ｘ線検出器５０をＬ字型にすることにより、コンテナ１４の下面を透過するＸ線も検出することができ、検査スペースが限られる狭隘な空間においてコンテナ１４の検査を有効に行うことができる。
【００２３】
前記線源４４と前記Ｘ線検出器５０とは、線源４４から放射されたＸ線のうち、検査対象となるコンテナ１４のみを透過したＸ線を検出するように配置される。すなわち、線源４４をコンテナ１４の上面高さに合わせ、Ｘ線検出器５０は前記線源４４に合わせた高さが上面となるように配置すれば良い。
【００２４】
前記ケーシング４２の下部底面には、複数の車輪４８が備えられ、Ｘ線検査機４０の移動を可能としている。前記プラットホーム３８の片隅には、コンテナ１４を階下に降ろすための開口６２が設けられている。
【００２５】
コンテナ１４のＸ線検査は通常、前記開口６２の上部でスプレッダ６０を介して前記天井クレーン５４によって吊り上げられた状態で行われる。このため、前記開口６２には、放射線を遮蔽するための遮蔽扉３０が備えられている。前記遮蔽扉３０にはコロ３２が備えられ、プラットホーム３８側へのスライドオープンを可能としている。さらに、前記Ｘ線検出器５０の背面を中心としたコンテナ１４を囲む３壁面には、放射線を遮蔽するための図示しない放射線遮蔽壁が備えられる。
【００２６】
上記のようなコンテナ貨物の検査装置における線源４４及びＸ線検出器５０の具体的配置形態を図３、図４を参照して説明する。
図３において、破線で示すのはＸ線４５であり、αは扇面状に放射されるＸ線４５の放射範囲（放射角度）を示す。図３に示す配置形態は、線源４４から放射角度αで放射されるＸ線４５の中心を通るＸ線が、コンテナ１４の上面に沿って放射されるように線源４４を配置するものである。線源４４をこのような配置にすることにより、線源４４から放射されたＸ線がコンテナ１４の上面に沿って透過し、Ｘ線検出器５０に到るＸ線経路を構成することができる。また、放射範囲の下半分にあたるＸ線は、コンテナ１４のみを透過してＸ線検出器５０に到ることとなる。このため、コンテナ１４を吊った状態での検査であってもＸ線検出器５０には、スプレッダ６０の影が投影されることがなく、正確・明確な検査結果を得ることができる。すなわち、通常、図５（Ａ）に示すように、線源４４をコンテナ１４の下方側に配置し、上方へ向けてＸ線を放射していたために、コンテナ吊具であるスプレッダ６０がＸ線検出器５０に投影されてしまっていたが、本実施形態では、図５（Ｂ）に示すようにスプレッダ６０を投影することなくコンテナ１４のみを検査することができるのである。なお、放射範囲αの上半分にあたるＸ線は、コンテナ１４を透過していないため、検出する必要はない。
【００２７】
次に図４に示す配置形態について説明する。なお、図４に示す配置形態の構成部材は図３に示す配置形態と同一となるため、各構成部材には同一符号を付すこととする。本配置形態では、線源４４のＸ線４５の放射範囲αの上限を通るＸ線がコンテナ１４の上面に沿ってコンテナ１４を透過してＸ線検出器５０に到るように線源４４を配置するものである。このような配置形態であっても、図３に示す配置形態と同様な作用を得ることができる。また、図４に示すように放射角度αが９０°以上のものであれば、線源４４を検査対象となるコンテナ１４に近接配置することが可能となるため、Ｘ線検査機４０の設置スペースを小さくし、装置自体も小型化することもできる。なお、図３、図４に示す配置形態以外でも、上述の２つの配置形態の中間にあたる配置形態であれば良い。
【００２８】
上記構成の検査装置２０では、まず、当該検査装置２０を自走させて岸壁クレーン１６の下部架構部内に配備する。次に、岸壁クレーン１６によって吊り上げられたコンテナ１４が仮置台２２の上方の開口から荷降ろしされ、仮置台２２に仮置きされる。次に、天井クレーン５４を仮置台２２の上方に移動させ、コンテナ１４をスプレッダ６０によって把持し、吊り上げる。コンテナ１４を吊り上げた状態で、天井クレーン５４を開口６２の直上位置まで横行させる。
【００２９】
次に、Ｘ線検査機４０がスプレッダ６０を介して吊下げられたコンテナ１４の長手方向に移動して、コンテナ１４内の貨物を走査する。すなわちＸ線検査機４０の線源４４からコンテナ１４に向けて扇面状のＸ線が放射される。Ｘ線がコンテナ１４の外郭及びコンテナ内の貨物を透過する過程で減衰し、減衰した透過Ｘ線がＸ線検出器５０によって検出される。Ｘ線検出器５０は、検出したＸ線を電気信号に変換し、図示しない画像処理装置に出力する。前記画像処理装置は前記電気信号を処理してコンテナ１４内の貨物に関する画像を図示しないモニタに表示する。モニタに表示された画像は、オペレータによって申告された貨物リストと明らかに違うものが無いかをチェックされる。
【００３０】
上記貨物のチェックは以下のような方法でも行うことができる。すなわち、Ｘ線検査機４０にデータベースを保有させ、検査対象となったコンテナ１４の貨物に対応した透過Ｘ線の予想量を設定しておく。このようなＸ線検査機４０によって検査されたコンテナ１４では、透過Ｘ線の線量が予想量と大きく異なる場合には、警報等を鳴らすようにする。警報が鳴ったコンテナ１４は、別途詳細な検査にまわされる。これにより、人的労力を費やすことが少なくなり、検査速度も向上する。
【００３１】
上記検査が終了すると、開口６２の上部に備えられた遮蔽扉３０をスライドオープンさせ、階下に待機するコンテナ搬送車両７０へ検査済のコンテナ１４を引き渡す。なお、Ｘ線検査によって正常が確認されたコンテナと、異常が確認されたコンテナとでは、当然にコンテナ搬送車両７０による搬送以降の工程が異なる。
【００３２】
上記のようなコンテナ貨物の検査装置２０では、コンテナ船１２からの荷降ろし速度との関係を踏まえた効率の良いコンテナ貨物の検査を行うことができる。すなわち、通常岸壁クレーン１６によって荷降ろしされるコンテナをコンテナ搬送車両７０に引き渡す際には、双方のタイミングが合致しないことが少なくない。こういった場合に前記岸壁クレーン１６はコンテナを吊ったまま待機せざるを得ないこととなる。本発明の検査装置２０では、仮置台にコンテナを仮置きすることができるので、前記双方のタイミングが合致しない場合であっても岸壁クレーン１６は次のコンテナを吊りに行くことができる。また、従来の待機時間を利用してコンテナ貨物の検査を行うため、一旦コンテナヤードにコンテナを貯めてから検査を行うという煩わしい作業がなくなる。
【００３３】
上記説明では、コンテナ船１２に積まれた輸入貨物のコンテナを岸壁クレーン１６によって荷降ろしする場合について説明した。しかしながら、本実施形態のコンテナ貨物の検査装置２０は、輸入貨物に限らず、コンテナ内の輸出貨物検査にも適用することができる。この場合には、コンテナの搬送ルートが上述の説明とは逆になる。すなわちコンテナ搬送車両７０によって検査装置２０の階下に搬送された輸出用コンテナを、天井クレーン５４によって２階に吊り上げ、Ｘ線検査機４０によってコンテナ内の輸出貨物を検査する。検査の結果コンテナの正常が認められた場合には、コンテナを岸壁クレーンへの引渡し位置となる仮置台２２に仮置きする。仮置きされたコンテナは、岸壁クレーン１６によってコンテナ船１２に積込まれる。なお、検査の結果、異常が検出されたコンテナは、別途適宜な措置がとられる。
【００３４】
上記実施形態では、コンテナ貨物の検査機としてＸ線を用いるＸ線検査機を装備している。Ｘ線は透過力が大きく、コンテナの外郭鉄板を透過させることを必須とする本発明では特に有効であり、好ましくは６〜９ＭｅＶ程度の高エネルギのＸ線を用いると良い。しかしながら、本発明に用いる放射線検査手段は、放射線としてγ線を用いるγ線検査機であっても良い。
【００３５】
また、上記実施形態では、コンテナ中継手段として天井クレーン５４を用いる旨記載した。しかしながら、本発明に係るコンテナ中継手段は、天井クレーン５４に限らず、コンテナを吊り上げて移動させ、コンテナ搬送車両に引き渡すことができるものであれば他の構造の手段でも良い。
【００３６】
なお、上記実施形態は、本発明のコンテナ貨物の検査装置に係る好適な実施形態の一態様であって、発明の主要部を変更しない限りにおいて様々な形態を採ることができる。すなわち、検査装置２０は４本の主脚２４を有する２階建て構造物としたが、主脚の数はもちろん、コンテナ１４を仮置きし、吊り上げて検査し、搬送車両に引き渡すという構成をとれるものであれば、２階建ての構成すらも任意である。よって、仮置台２２を張り出し部２８に設けると記載しているが、これも好適な条件の１つであり、当然に張り出し部を設けない態様も本発明のコンテナ貨物の検査装置に含まれる。
【００３７】
上記のような実施形態では、Ｘ線がコンテナ１４の側面及び底面を透過するようにし、かつＸ線検出器５０をコンテナ１４の側面および底面に沿ったＬ字型の形状にしたことにより、Ｘ線検出器５０の高さを低くすることができる。よって、検査エリアの天井高さを低くすることができる。このため、検査装置２０自体の全高を低くすることが可能となり検査装置２０の小型化を実現できる。また、本実施形態に係る検査装置２０によれば、コンテナ１４を検査するＸ線は、コンテナ１４のみを透過してＸ線検出器５０に到ることとなるため、コンテナ１４を吊った状態での検査であっても、Ｘ線検出器５０にはスプレッダ６０の影が投影されることがない。よって、正確・明確な検査結果を得ることができる。
【図面の簡単な説明】
【００３８】
【図１】本発明のコンテナ貨物の検査装置に係る実施形態の正面図である。
【図２】本発明のコンテナ貨物の検査装置に係る実施形態の左側面図である。
【図３】本実施形態の放射線放射部と放射線検出部との第一の配置形態を示す図である。
【図４】本実施形態の放射線放射部と放射線検出部との第一の配置形態を示す図である。
【図５】通常の放射線検査形態（Ａ）と、発明の放射線検査形態（Ｂ）とを対比する図である。
【図６】本発明のコンテナ貨物の検査装置と岸壁クレーンとの関係を示す図である。
【符号の説明】
【００３９】
１０………岸壁、１２………コンテナ船、１４………コンテナ、１６………岸壁クレーン、１８………スプレッダ、２０………検査装置、２２………仮置台、２４………主脚、２６………車輪（ラバータイヤ）、２８………張り出し部、３０………遮蔽扉、３８………プラットホーム、４０………Ｘ線検査機、４２………ケーシング、４４………線源、５０………Ｘ線検出器、５２………横梁、５４………天井クレーン、６０………スプレッダ、７０………コンテナ搬送車両。
【図１】
2005257398.tif 000003
【図２】
2005257398.tif 000004
【図３】
2005257398.tif 000005
【図４】
2005257398.tif 000006
【図５】
2005257398.tif 000007
【図６】
2005257398.tif 000008